(57)【特許請求の範囲】
【請求項１】
上枠、下枠および左右の縦枠を四周枠組みした内部に当該上枠と下枠とに渡って上下に延びる縦骨を架設して形成される枠体と、この枠体内部に開閉可能に支持されて前記左右の縦枠のうちの一方と前記縦骨とに渡って閉鎖可能な可動面材と、前記枠体内部における前記左右の縦枠のうちの他方と前記縦骨とに渡って支持される固定面材とを備え、浴室の内部と外部とを仕切る建具であって、
前記下枠は、前記固定面材よりも浴室外部側において当該下枠の長手方向略全長に渡って形成されて前記可動面材を案内する下レールと、この下レールよりも浴室内部側に立設される止水材保持部と、この止水材保持部に保持されて前記一方の縦枠と前記縦骨とに渡って設けられるとともに前記可動面材に摺接可能な横止水材と、を少なくとも備えて構成され、
前記縦骨は、その長手方向に沿い浴室外部側に向かって設けられるとともに前記可動面材に摺接可能な縦止水材を備えて構成され、この縦止水材の下端部と前記横止水材の側端部とが互いに当接され、
前記縦骨の下端部における浴室外部側には、前記下枠における止水材保持部の基端部から下レールに向かって延びる下枠平坦面に当接可能で、かつ前記可動面材の浴室側側面に摺接可能な召合せ止水材が設けられ、
前記召合せ止水材は、ブロック状の本体部と、この本体部の左右両側端部から浴室外部側にそれぞれ突出し上下に延びる板状の２個のヒレ部とを有して形成され、
前記本体部の底面が前記下枠平坦面に当接し、
前記２個のヒレ部の先端が前記可動面材の浴室側側面に摺接可能に構成され、
前記２個のヒレ部のうち一方のヒレ部が前記縦止水材の下端部側面に当接可能に設けられ、
他方のヒレ部側の前記本体部側面が、前記召合せ止水材よりも前記固定面材側に設けられた前記止水材保持部の端面を覆って設けられている建具。
【請求項２】
前記召合せ止水材のヒレ部の上端は、前記横止水材の上端縁位置よりも上方に延びて形成されている請求項１に記載の建具。
【請求項３】
前記召合せ止水材は、前記縦骨の浴室外部側側面に沿って上方に延びる固定片部と、この固定片部から当該縦骨に向かって突出する嵌合突部とを有して形成され、この嵌合突部を前記縦骨の浴室外部側側面に形成された嵌合孔に挿入して当該縦骨に固定されている請求項１または請求項２に記載の建具。
【請求項４】
前記嵌合孔は、前記横止水材の上端縁位置よりも上方に形成されている請求項３に記載の建具。
【請求項５】
前記縦骨は、前記下枠の止水材保持部に対して浴室内部側から当接されるとともに、浴室内部側から当該縦骨および止水材保持部を貫通する固着具により当該下枠に固定され、
前記召合せ止水材は、前記止水材保持部を貫通した固着具の先端を覆って設けられている請求項１から請求項４のいずれかに記載の建具。
【請求項６】
前記固定面材は、前記下枠の上側に沿って設けられる下枠取付部材と、この下枠取付部材に下端縁が支持されるパネル材とを少なくとも有して構成され、前記下枠取付部材は、前記止水材保持部の上端縁および浴室外部側側面に沿って延びる折曲片部を有して形成され、
前記召合せ止水材は、前記他方のヒレ部側の前記本体部側面が、前記下枠取付部材の長手方向における前記縦骨側の前記折曲片部の端面を覆って設けられている請求項１から請求項５のいずれかに記載の建具。
【発明の詳細な説明】
【技術分野】
【０００１】
本発明は、浴室の内部と外部（脱衣室）とを仕切る建具に関し、枠体と可動面材と固定面材とを備えた建具に関する。
【背景技術】
【０００２】
浴室出入り口用の建具として、建具枠と障子とを備え、障子が片引き形式に開閉可能に支持された片引き戸が提案されている（例えば、特許文献１参照）。
特許文献１に記載された片引き戸における建具枠では、その左右略中央位置において上枠と下枠とに渡って上下に延びる縦骨が架設され、この縦骨と一方の縦枠との間に開口部が形成されるとともに、縦骨と他方の縦枠との間に戸袋（障子収納部）を構成するパネル材が取り付けられている。そして、縦骨の脱衣室側に障子の召合せ框が重なって開口部を覆う閉鎖状態と、縦骨およびパネル材の脱衣室側に沿って位置する開放状態との間を障子が開閉移動可能に構成されている。このような片引き戸では、閉鎖状態の障子に対して浴室側から当接または摺接する止水材が下枠、一方の縦枠および縦骨の脱衣室側側面にそれぞれ設けられており、浴室内の水が脱衣室側に漏れ出ないようになっている。
【０００３】
【特許文献１】特許第３５５４６８８号公報
【発明の開示】
【発明が解決しようとする課題】
【０００４】
ところで、近年、下枠の下レールと浴室床面との段差を小さくして出入りの利便性を向上させたバリアフリータイプの建具枠が多用されている。このような建具枠では、下枠位置に浴室床面上の水が流れてくることから、下枠位置における水密性が重要となってくる。また、下枠の高さ寸法が比較的小さくなることから、下枠と縦骨との接合部の高さ寸法も制約を受け、この接合部が位置する召合せ下部が水密性能上の弱点となりやすく、召合せの下部位置を超えた水が下レールに沿って戸袋側に流れ込む可能性がある。特に、特許文献１の片引き戸における建具枠のように、下枠の止水材保持部の立上りに対し、縦骨が浴室側から接合される接合構造の場合には、下枠の横止水材が縦骨位置までしか配置されないため、この横止水材の端部を超えた水を阻止することが困難となる。
【０００５】
本発明の目的は、バリアフリータイプの下枠においても止水性能の向上を図ることができる建具を提供することにある。
【課題を解決するための手段】
【０００６】
本発明の建具は、上枠、下枠および左右の縦枠を四周枠組みした内部に当該上枠と下枠とに渡って上下に延びる縦骨を架設して形成される枠体と、この枠体内部に開閉可能に支持されて前記左右の縦枠のうちの一方と前記縦骨とに渡って閉鎖可能な可動面材と、前記枠体内部における前記左右の縦枠のうちの他方と前記縦骨とに渡って支持される固定面材とを備え、浴室の内部と外部とを仕切る建具であって、前記下枠は、前記固定面材よりも浴室外部側において当該下枠の長手方向略全長に渡って形成されて前記可動面材を案内する下レールと、この下レールよりも浴室内部側に立設される止水材保持部と、この止水材保持部に保持されて前記一方の縦枠と前記縦骨とに渡って設けられるとともに前記可動面材に摺接可能な横止水材と、を少なくとも備えて構成され、前記縦骨は、その長手方向に沿い浴室外部側に向かって設けられるとともに前記可動面材に摺接可能な縦止水材を備えて構成され、この縦止水材の下端部と前記横止水材の側端部とが互いに当接され、前記縦骨の下端部における浴室外部側には、前記下枠における止水材保持部の基端部から下レールに向かって延びる下枠平坦面に当接可能で、かつ前記可動面材の浴室側側面に摺接可能な召合せ止水材が設けられ、前記召合せ止水材は、ブロック状の本体部と、この本体部の左右両側端部から浴室外部側にそれぞれ突出し上下に延びる板状の２個のヒレ部とを有して形成され、前記本体部の底面が前記下枠平坦面に当接し、前記２個のヒレ部の先端が前記可動面材の浴室側側面に摺接可能に構成され、前記２個のヒレ部のうち一方のヒレ部が前記縦止水材の下端部側面に当接可能に設けられ、他方のヒレ部側の前記本体部側面が、前記召合せ止水材よりも前記固定面材側に設けられた前記止水材保持部の端面を覆って設けられていることを特徴とする。
【０００７】
このような本発明によれば、下枠の止水材保持部に設けた横止水材と縦骨に設けた縦止水材とによって一次止水構造が構成され、召合せ止水材によって二次止水構造が構成されるので、浴室内部で使用する水が一次止水構造を超えたとしても、この水が召合せ止水材で阻止されるため、下レールに沿って浴室外部（例えば、脱衣室）における固定面材側（戸袋側）に水が流れていくことが防止できる。従って、下枠の高さ寸法が小さくされ、縦骨との接合部の高さに制約を受けるバリアフリータイプの建具であっても、召合せ下部位置における二次止水構造によって止水性能が確保でき、利便性と止水性の両立が実現できるとともに、下枠と縦骨との接合構造として特殊な構造を用いる必要がないことから、製造手間やコストの増大を防止することもできる。
また、ブロック状の本体部を下枠平坦面に当接させ、板状のヒレ部の先端を可動面材の浴室側側面に摺接させることで、下枠平坦面上の水が固定面材側に流れるのを防止するとともに、可動面材との隙間から漏れ出ようとする水をも阻止することができる。そして、ヒレ部を板状に形成したことで、その左右方向の剛性が小さくして可動面材が摺接する際にヒレ部を撓ませることができ、可動面材との摺動抵抗を小さくして開閉操作性を向上させることができる。
【０００９】
さらに、本発明の建具では、前記召合せ止水材のヒレ部の上端は、前記横止水材の上端縁位置よりも上方に延びて形成されていることが好ましい。
このような構成によれば、縦止水材の下端部と当接する位置で横止水材が切断されていても、それに隣接する位置に設けた召合せ止水材のヒレ部が横止水材よりも上方まで延びていることで、縦および横の止水材を超えた水をヒレ部で確実に阻止することができる。
【００１０】
また、本発明の建具では、前記召合せ止水材は、前記縦骨の浴室外部側側面に沿って上方に延びる固定片部と、この固定片部から当該縦骨に向かって突出する嵌合突部とを有して形成され、この嵌合突部を前記縦骨の浴室外部側側面に形成された嵌合孔に挿入して当該縦骨に固定されていることが好ましい。
このような構成によれば、召合せ止水材の固定片部に形成した嵌合突部を縦骨の嵌合孔に挿入することで、召合せ止水材を簡単かつ確実に固定することができる。
【００１１】
さらに、本発明の建具では、前記嵌合孔は、前記横止水材の上端縁位置よりも上方に形成されていることが好ましい。
このような構成によれば、横止水材の上端縁位置よりも上方に嵌合孔を形成したことで、横止水材を超えた水が嵌合孔に入り込むことが防止でき、止水性能をさらに向上させることができる。
【００１２】
また、本発明の建具では、前記縦骨は、前記下枠の止水材保持部に対して浴室内部側から当接されるとともに、浴室内部側から当該縦骨および止水材保持部を貫通する固着具により当該下枠に固定され、前記召合せ止水材は、前記止水材保持部を貫通した固着具の先端を覆って設けられていることが好ましい。
このような構成によれば、浴室内部側から縦骨および止水材保持部を貫通する固着具によって縦骨を下枠に固定することで、下枠の高さ寸法が小さく、縦骨との接合部の高さ寸法が大きくできない場合であっても、下枠と縦骨とを確実に接合することができる。そして、固着具が貫通する貫通孔が止水材保持部に形成されても、固着具の先端を召合せ止水材で覆うことで、貫通孔位置への水が阻止でき、止水性能を向上させることができる。さらに、固着具の先端を召合せ止水材で覆うことで、浴室外部側から固着具の先端が見えず、意匠性が良好にできる。
【００１３】
また、本発明の建具では、前記固定面材は、前記下枠の上側に沿って設けられる下枠取付部材と、この下枠取付部材に下端縁が支持されるパネル材とを少なくとも有して構成され、前記下枠取付部材は、前記止水材保持部の上端縁および浴室外部側側面に沿って延びる折曲片部を有して形成され、前記召合せ止水材は、前記他方のヒレ部側の前記本体部側面が、前記下枠取付部材の長手方向における前記縦骨側の前記折曲片部の端面を覆って設けられていることが好ましい。
このような構成によれば、下枠取付部材を介してパネル材を支持することで、固定面材の組立性が向上できるとともに、下枠取付部材の折曲片部で下枠の止水材保持部を覆うことで、固定面材側の止水材保持部が浴室外部側から見えないようにでき、意匠性を向上させることができる。そして、止水材保持部よりも折曲片部が見込み方向に突出することとなるが、この折曲片部の端面を召合せ止水材で覆うことで、意匠性がさらに良好にできるとともに、折曲片部の端面に物が引っかかることなども防止できる。
【発明を実施するための最良の形態】
【００１４】
以下、本発明の実施形態を図面に基づいて説明する。
図１は、本実施形態に係る建具である浴室出入り口用の片引き戸１を示す横断面図である。図２および図３は、片引き戸１を示す縦断面図であり、図２は、図１に矢視II−II線で示す断面図であり、図３は、図１に矢視III−III線で示す断面図である。
図１〜図３において、本実施形態の片引き戸１は、繊維強化プラスチック製の浴槽（不図示）や浴室床Ｆ１（防水パン）、浴室壁Ｗ等からなる浴室ユニットで構成された浴室（浴室内部）と、この浴室に隣接する脱衣室（浴室外部）との出入り口に用いられる建具である。この片引き戸１は、上枠２、下枠３および左右の縦枠４，５を枠組みした枠体である建具枠６と、この建具枠６内部に片引き形式に開閉可能に支持された１枚の可動面材である障子１０と、建具枠６内部に固定される固定面材２０とを備えて構成されている。建具枠６の上枠２、下枠３および縦枠４，５は、脱衣室の床材Ｆ２や額縁材等に固定されており、建具枠６の内部には、上枠２と下枠３とに渡って上下に延びる縦骨７が架設されている。
【００１５】
そして、建具枠６の内部における図１の左側略半分の領域には、左右の縦枠のうち左側（図１の左側）の縦枠４（一方の縦枠）と縦骨７との間に出入り用の開口部６Ａが形成され、建具枠６の内部における図１の右側略半分の領域に固定面材２０が支持されている。
障子１０は、上框１１、下框１２および左右の縦框１３，１４を四周框組みした障子枠１５に、通気開口を有した通気面材１６（換気ガラリ）と、半透明板材からなる樹脂パネル１７とを嵌めこんで構成されている。そして、一方（図１の左側）の縦框１３（戸先框）には、障子１０を開閉操作するためのハンドル１８が固定されている。このような障子１０は、上枠２に設けられた上レール２Ａと下枠３に設けられた下レール３Ａとに、それぞれ上框１１と下框１２の戸車とが案内されて左右にスライド開閉できるようになっている。そして、障子１０は、縦框１３が縦枠４に当接し、かつ縦框１４が縦骨７の脱衣室側に重なって開口部６Ａを覆う閉鎖位置と、当該障子１０の略全体が固定面材２０の脱衣室側に重なり、かつ縦框１３が縦骨７に重なる開放位置と、の間を開閉移動可能に構成されている。
【００１６】
固定面材２０は、図１および図３に示すように、それぞれ上枠２、下枠３、縦骨７および縦枠５に固定される上下左右のアタッチメント（上枠アタッチメント２１、下枠取付部材である下枠アタッチメント２２、縦骨アタッチメント２３および縦枠アタッチメント２４）と、これらのアタッチメントに上下左右の端縁が保持されるパネル材である固定パネル２５とを有して構成されている。上枠アタッチメント２１は、上枠２の浴室側に係合固定されるとともに、その下部にて下方に開口したパネル材保持部２１Ａを有して構成さている。下枠アタッチメント２２は、その上部にて上方に開口したパネル材保持部２２Ａと、下部から下方に延びる固定片部２２Ｂと、後述する下枠３の止水材保持部３３を覆う折曲片部２２Ｃとを有して形成され、下枠３の上側かつ浴室側に支持されるとともに、固定片部２２Ｂが浴室側からのビス２２Ｄで下枠３に固定されている。縦骨アタッチメント２３および縦枠アタッチメント２４は、それぞれ縦骨７および縦枠５に脱衣室側から係止され、これらの縦骨アタッチメント２３および縦枠アタッチメント２４と縦骨７および縦枠５とで固定パネル２５の側端縁を挟持する押し縁材として機能するようになっている。
【００１７】
次に、建具枠６における下枠３の構造について、図４および図５も参照して詳しく説明する。ここで、図４は、開口部６Ａ位置における下枠３を拡大して示す縦断面図であり、図５は、固定面材２０位置における下枠３を拡大して示す縦断面図である。
下枠３は、障子１０下側に位置し中空状に形成された下枠本体部３１と、この下枠本体部３１の脱衣室側端部から立ち上がるとともに折れ曲がって略水平に延びる固定片部３２と、下枠本体部３１の浴室側端部から立ち上がる止水材保持部３３と、止水材保持部３３の下側に位置して縦枠４，５とビス止め固定されるビスホール部３４とを有して構成されている。そして、下枠本体部３１の上側には、下レール３Ａを有したレール部材３５が載置され、このレール部材３５の下枠平坦面としての底面部３５１および下レール３Ａと、固定片部３２とによって脱衣室側における下枠３の上面が構成されている。また、固定片部３２の浴室側端部には、上方に突出して障子１０の脱衣室側側面に摺接可能な脱衣室側止水材３２Ａが取り付けられている。
【００１８】
図４に示すように、開口部６Ａ側における下枠３は、下枠本体部３１から浴室側に延びる下枠底面部３６と、この下枠底面部３６の浴室側先端に設けられて浴室床Ｆ１に載置される中空状の浴室載置部３７とを有して形成されている。すなわち、下枠３は、下枠本体部３１や下枠底面部３６および浴室載置部３７を有して一体成形されたアルミ押出形材から、固定面材２０側における下枠底面部３６および浴室載置部３７を切断して形成されている。そして、開口部６Ａ側における下枠底面部３６および浴室載置部３７の上側には、止水材保持部３３の上端位置から浴室床Ｆ１に向かって下がり勾配を有したスロープ部材３８が載置されている。このスロープ部材３８の長手方向両端部、つまり縦枠４側と縦骨７側の端部には、図１に示すように、端部キャップ３９が取り付けられている。
また、固定面材２０側における下枠３の止水材保持部３３には、脱衣室側に突出して障子１０の浴室側側面に摺接可能な横止水材３３Ａが取り付けられている。
【００１９】
次に、建具枠６における召合せ部の構造について、図６および図７も参照して詳しく説明する。ここで、図６は、建具枠６における召合せ部の下部を拡大して示す斜視図であり、図７は、召合せ部の下部を拡大して示す縦断面図である。
建具枠６において召合せ部を構成する縦骨７は、図６に示すように、建具枠６の見込み方向（浴室内外方向）に延びる見込み面部７１と、この見込み面部７１の浴室側端部に設けられる中空状の縦骨中空部７２と、見込み面部７１の脱衣室側端部から見付け方向に折れ曲がる見付け面部７３と、この見付け面部７３の先端に折曲状に形成されて固定面材２０の固定パネル２５を保持するパネル材保持部７４とを有して形成されている。パネル材保持部７４には、縦骨アタッチメント２３と対向して固定パネル２５を挟持する保持片７４Ａが形成されている。また、見込み面部７１と見付け面部７３との交差部には、止水材保持部７５および煙返し片７６が形成され、止水材保持部７５には、脱衣室側に突出して障子１０の浴室側側面に摺接可能な縦止水材７５Ａが取り付けられている。この縦止水材７５Ａの下端部は、下枠３の横止水材３３Ａの側端部に当接され、これにより縦横の止水材３３Ａ，７５Ａ同士が連続するようになっている。
【００２０】
以上のような召合せ部の下部において、下枠３と縦骨７との交差位置における脱衣室側には、召合せ止水材５０が設けられている。この召合せ止水材５０について、図８〜図１０も参照して詳しく説明する。ここで、図８は、召合せ止水材５０を示す斜視図であり、図９は、召合せ止水材５０の取付状態を示す斜視図である。図１０は、召合せ止水材５０を取り外した状態の召合せ部を示す斜視図である。
召合せ止水材５０は、シリコン樹脂製の一体成形品であって、ブロック状の止水材本体部５１と、この止水材本体部５１の両側端部から脱衣室側（浴室外部側）に突出する一対のヒレ部５２と、止水材本体部５１から縦骨７の見付け面部７３（浴室外部側側面）に沿って上方に延びる止水材固定片部５３と、この止水材固定片部５３から縦骨７に向かって突出する嵌合突部５４とを有して形成されている。
【００２１】
止水材本体部５１は、図７に示すように、レール部材３５の底面部３５１に当接する止水材底面部５５を有して形成され、レール部材３５の底面部３５１を流れる水が止水材本体部５１によって阻止されるようになっている。また、ヒレ部５２は、それぞれ上下に延びる板状に形成され、適宜な弾性を有して左右に撓む軟質な突片として形成されている。そして、ヒレ部５２の先端は、図７に示すように、障子１０における下框１２や縦框１４の浴室側側面に摺接可能な位置まで脱衣室側に延びて形成されている。さらに、ヒレ部５２の上端は、図９に示すように、下枠３の横止水材３３Ａの上端縁位置よりも上方に延びて形成され、一方のヒレ部５２は、縦骨７の縦止水材７５Ａ下端部側面に当接可能に設けられている。止水材固定片部５３は、縦骨７の見付け面部７３に密接して設けられるとともに、嵌合突部５４は、縦骨７の見付け面部７３に形成された嵌合孔７３Ａに圧入されるようになっており、これにより召合せ止水材５０が縦骨７に固定されるようになっている。嵌合孔７３Ａは、図１０に示すように、下枠３の横止水材３３Ａの上端縁位置よりも上方に形成されている。
【００２２】
また、建具枠６における召合せ部は、図１１に示すような構造で組み立てられる。
すなわち、下枠３における下枠底面部３６および浴室載置部３７を切り欠いた部分の止水材保持部３３およびビスホール部３４に対し、浴室側から縦骨７の見付け面部７３が固定される。この際、縦骨７の見込み面部７１と下枠３における下枠底面部３６および浴室載置部３７の切断端面との間、見付け面部７３と止水材保持部３３およびビスホール部３４の浴室側側面との間、および縦骨７のパネル材保持部７４と縦骨アタッチメント２３の端面との間には、平面視で断面略コ字形のシール材７７が介挿される。また、下枠３の止水材保持部３３の脱衣室側には、横止水材３３Ａを保持するための保持片が切り欠かれて直板状とされた切欠き部３３Ｂが形成されている。この切欠き部３３Ｂに召合せ止水材５０の止水材本体部５１が圧入されるようになっている。
【００２３】
以上のような下枠３に対して縦骨７は、見付け面部７３を浴室側から貫通するとともに止水材保持部３３およびビスホール部３４に螺合する固着具としての２本のビス７８で固定される。さらに、図示を省略するが、見込み面部７１を貫通し、下枠底面部３６および浴室載置部３７のビスホールに螺合するビスによっても下枠３と縦骨７とが固定されている。止水材保持部３３およびビスホール部３４に螺合する２本のビス７８のうち、上側のビス７８は、図１０に示すように、止水材保持部３３の切欠き部３３Ｂ位置に先端が突出することとなるが、このビス７８の先端は、召合せ止水材５０の止水材本体部５１によって覆われるようになっている。
【００２４】
また、固定面材２０の下枠アタッチメント２２は、図５にも示すように、折曲片部２２Ｃで止水材保持部３３の上端部および脱衣室側側面を覆うとともに、折曲片部２２Ｃ内のシール材２２Ｅを止水材保持部３３の上端部に密接させた状態で設置され、固定片部２２Ｂを浴室側から貫通するビス２２Ｄをビスホール部３４に螺合させることで、下枠３に固定される。この下枠アタッチメント２２における折曲片部２２Ｃは、止水材保持部３３よりも脱衣室側に位置することとなるが、折曲片部２２Ｃの端面は、図９に示すように、召合せ止水材５０の他方のヒレ部５２側の止水材本体部５１側面によって覆われるようになっている。
【００２５】
このような本実施形態によれば、以下のような効果がある。
（１）すなわち、下枠３の横止水材３３Ａと縦骨７の縦止水材７５Ａとが障子１０の浴室側側面に当接することによって召合せ部の一次止水構造が構成されているものの、この一次止水構造を超えて固定面材２０側に水が漏れ出そうとした場合でも、この水を召合せ止水材５０によって阻止することができる。また、開口部６Ａから下枠３のレール部材３５上に水が浸入し、この水がレール部材３５の底面部３５１上を固定面材２０側に流れたとしても、召合せ止水材５０の止水材本体部５１が底面部３５１に当接していることで阻止され、水が固定面材２０側に流れていくことが防止できる。従って、レール部材３５上の水走りを防止して片引き戸１の止水性能を向上させることができる。
【００２６】
（２）また、浴室床Ｆ１と脱衣室の床材Ｆ２との段差が小さく設定されたバリアフリータイプの建具において、下枠３の高さ寸法が小さくされて縦骨７との接合部の高さに制約を受け、縦骨７を固定するビス７８が下枠３の止水材保持部３３を貫通するような接合構造を採用した場合であっても、前述のように召合せ止水材５０によって止水性能が確保できるので、利便性と止水性の両立が実現できる。さらに、脱衣室側に突出したビス７８の先端が召合せ止水材５０で覆われることにより、片引き戸１の意匠性を良好にすることができる。また、下枠３と縦骨７との接合構造として特殊な構造を用いる必要がないことから、製造手間やコストの増大を防止することもできる。
【００２７】
（３）また、召合せ止水材５０において、レール部材３５の底面部３５１に当接するブロック状の止水材本体部５１と、障子１０の浴室側側面に摺接する板状のヒレ部５２とが設けられているので、底面部３５１上を流れる水を止水材本体部５１で阻止するだけでなく、障子１０の側面に沿って流れる水をヒレ部５２で阻止することができ、止水性能を向上させることができる。さらに、ヒレ部５２が弾性を有して撓む軟質な突片として形成されていることで、障子１０が摺接する際にヒレ部を撓ませることができ、障子１０との摺動抵抗を小さくして開閉操作性を向上させることができる。また、ヒレ部５２の上端が横止水材３３Ａの上端縁位置よりも上方に延びて形成されているので、横止水材３３Ａと縦止水材７５Ａの隙間から漏れ出た水をヒレ部５２で確実に阻止することができる。
【００２８】
（４）また、召合せ止水材５０において、止水材固定片部５３および嵌合突部５４が設けられているので、嵌合突部５４を縦骨７の嵌合孔７３Ａに圧入するだけで召合せ止水材５０を簡単かつ確実に固定することができる。さらに、縦骨７の嵌合孔７３Ａが横止水材３３Ａの上端縁位置よりも上方に形成されているので、横止水材３３Ａを超えた水が嵌合孔７３Ａに入り込むことが防止でき、止水性能をさらに向上させることができる。
【００２９】
（５）さらに、固定面材２０における下枠アタッチメント２２の折曲片部２２Ｃで下枠３の止水材保持部３３が覆われるので、止水材保持部３３が脱衣室側から見えないようにでき、意匠性を向上させることができる。そして、止水材保持部３３よりも脱衣室側に折曲片部２２Ｃが突出することとなるが、この折曲片部２２Ｃの端面を召合せ止水材５０で覆うことで、意匠性がさらに良好にできるとともに、折曲片部２２Ｃの端面に物が引っかかることなども防止できる。
【００３０】
なお、本発明は前記実施形態の構成に限定されるものではない。
例えば、前記実施形態では、浴室出入り口用の建具として、片引き戸１を例示して説明したが、本発明の建具は、１枚の可動面材（障子）を有したものに限らず、２枚以上の可動面材が同一方向に開閉自在に支持されたものでもよく、２枚の面材が各々逆方向に片引き形式（引き分け形式）に支持されて左右両側に固定面材が設けられた形態のものでもよい。
【００３１】
また、前記実施形態では、固定面材２０の脱衣室側に沿って障子１０が開放される建具について説明したが、固定面材２０のさらに脱衣室側に他の固定面材が設けられ、これらの面材で戸袋が形成された建具であってもよい。このような戸袋を有した建具の場合には、戸袋内部の清掃が困難であることから、戸袋内部側への水の浸入が防止できる本発明が一層有効である。
また、前記実施形態では、浴室床Ｆ１と脱衣室の床材Ｆ２との段差が小さく設定されたバリアフリータイプの建具について説明したが、本発明の建具は、バリアフリータイプのものに限らず、浴室床面が脱衣室の床面よりも低い位置（数センチ〜十数センチ程度）に設けられたタイプのものであってもよい。
【００３２】
また、前記実施形態では、下枠における止水材保持部の基端部から下レールに向かって延びる下枠平坦面を、レール部材３５の底面部３５１で構成したが、下枠および下枠平坦面としては、このような構成に限られない。すなわち、下枠本体部と一体に下レールが形成された下枠を用いてもよく、この場合には、下枠本体部において下レールと止水材保持部との間に位置する下枠本体部の所定面によって下枠平坦面を構成することができる。さらに、下レールとしては、前記実施形態のようにレール部材３５から上方に突出して形成されたもの、あるいは下枠本体部から上方に突出して形成されたレールに限らず、下方に凹んだ溝状のレールであってもよく、この場合には、溝状のレールが形成される下枠の上面部（下枠上面部）で下枠平坦面が構成されていてもよい。なお、以上において、下枠平坦面としては、略水平に形成された面に限らず、若干の傾斜や凹凸を有した面であってもよく、その場合には、召合せ止水材の底面部が下枠平坦面の傾斜や凹凸に合致する形態を有して形成されていればよい。
【００３３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含
まれるものである。
【図面の簡単な説明】
【００３４】
【図１】本発明の実施形態に係る建具を示す横断面図である。
【図２】前記建具を示す縦断面図であり、図１に矢視II−II線で示す断面図である。
【図３】前記建具を示す縦断面図であり、図１に矢視III−III線で示す断面図である。
【図４】前記建具における開口部位置の下枠を拡大して示す縦断面図である。
【図５】前記建具における固定面材位置の下枠を拡大して示す縦断面図である。
【図６】前記建具の召合せ部の下部を拡大して示す斜視図である。
【図７】前記建具の召合せ部の下部を拡大して示す縦断面図である。
【図８】前記建具の召合せ部に設けられる召合せ止水材を示す斜視図である。
【図９】前記召合せ止水材の取付状態を示す斜視図である。
【図１０】前記召合せ止水材を取り外した状態の召合せ部を示す斜視図である。
【図１１】前記建具における召合せ部の構造を示す分解斜視図である。
【符号の説明】
【００３５】
１…片引き戸（建具）、２…上枠、３…下枠、３Ａ…下レール、４，５…縦枠、６…建具枠（枠体）、７…縦骨、１０…障子（可動面材）、２０…固定面材、２２…下枠アタッチメント（下枠取付部材）、２２Ｃ…折曲片部、２５…固定パネル（パネル材）、３３…止水材保持部、３３Ａ…横止水材、５０…召合せ止水材、５１…止水材本体部、５２…ヒレ部、５３…止水材固定片部、５４…嵌合突部、７３Ａ…嵌合孔、７５Ａ…縦止水材、７８…ビス（固着具）、３５１…底面部。
【図１】
0004891198.tif 000002
【図２】
0004891198.tif 000003
【図３】
0004891198.tif 000004
【図４】
0004891198.tif 000005
【図５】
0004891198.tif 000006
【図６】
0004891198.tif 000007
【図７】
0004891198.tif 000008
【図８】
0004891198.tif 000009
【図９】
0004891198.tif 000010
【図１０】
0004891198.tif 000011
【図１１】
0004891198.tif 000012